(57)【要約】【課題】視差バリアを用いた立体映像表示装置において、立体視に不慣れな観察者であっても簡単に視聴位置を決定できるようにする。【解決手段】立体映像表示装置１０は、視聴位置確認情報表示手段８、立体映像表示手段９を備え、立体映像表示手段９は、左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差バリアとを備えている。視聴位置確認情報表示手段８は、映像を視聴する際に、前記表示面の左半面内に左目用の視聴位置確認情報を表示し、前記表示面の右半面内に右目用の視聴位置確認情報を表示し、前記映像の観察者は前記視聴位置確認情報により適正な視聴位置を決定する。【選択図】図１
2005223495.tif 000002
【特許請求の範囲】
【請求項１】
左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置において、前記表示面の左半面内に左目用の視聴位置確認情報を表示し、前記表示面の右半面内に右目用の視聴位置確認情報を表示する視聴位置確認情報表示手段を備えていることを特徴とする立体映像表示装置。
【請求項２】
請求項１に記載の立体映像表示装置において、前記左目用の視聴位置確認情報は、左を連想させる情報であり、前記右目用の視聴位置確認情報は、右を連想させる情報であることを特徴とする立体映像表示装置。
【請求項３】
請求項１に記載の立体映像表示装置において、前記左目用の視聴位置確認情報は、前記表示面の左半面内の所定位置に配置された色表であり、前記右目用の視聴位置確認情報は、前記表示面の右半面内の所定位置に配置された色表であることを特徴とする立体映像表示装置。
【請求項４】
請求項３に記載の立体映像表示装置において、前記左目用の色表と、前記右目用の色表とは異なった色であることを特徴とする立体映像表示装置。
【請求項５】
左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置において、前記表示面の任意の領域に、前記表示面に対して奥行き方向前側あるいは奥側に位置して見えるように少なくとも１つの視聴位置確認情報を表示する視聴位置確認情報表示手段を備えていることを特徴とする立体映像表示装置。
【請求項６】
請求項５に記載の立体映像表示装置において、前記視聴位置確認情報表示手段は、映像を視聴する際に、前記視聴位置確認情報を表示すると共に、該視聴位置確認情報の前記表示面に対する奥行き方向の位置を連想させる奥行き位置情報を表示可能としたことを特徴とする立体映像表示装置。
【請求項７】
請求項５に記載の立体映像表示装置において、前記視聴位置確認情報表示手段は、映像を視聴する際に、前記表示面の周辺部近傍の領域に、前記視聴位置確認情報を表示することを特徴とする立体映像表示装置。
【請求項８】
請求項１乃至７のいずれか１項に記載の立体映像表示装置において、前記視聴位置確認情報表示手段は、前記視聴位置確認情報を前記表示面に表示される映像に重ね合わせて表示することを特徴とする立体映像表示装置。
【請求項９】
請求項１乃至８のいずれか１項に記載の立体映像表示装置において、入力映像の種別に応じて３次元表示モードあるいは２次元表示モードに切り替える表示モード切替手段を備え、前記視聴位置確認情報表示手段は、前記表示モード切替手段により３次元表示モードが設定されたときに、前記視聴位置確認情報を前記表示面に表示することを特徴とする立体映像表示装置。
【請求項１０】
請求項１乃至９のいずれか１項に記載の立体映像表示装置において、前記視聴位置確認情報の前記表示面への表示／非表示を切り替える表示切替手段を備えていることを特徴とする立体映像表示装置。
【請求項１１】
請求項１０に記載の立体映像表示装置において、前記表示切替手段は、前記視聴位置確認情報を前記表示面に表示させ、所定期間経過した後に、非表示に切り替えることを特徴とする立体映像表示装置。
【請求項１２】
左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置を用いた立体映像表示方法において、映像を視聴する際に、前記表示面の左半面内に左目用の視聴位置確認情報を表示し、前記表示面の右半面内に右目用の視聴位置確認情報を表示し、前記映像の観察者は該表示された視聴位置確認情報により適正な視聴位置を決定できるようにしたことを特徴とする立体映像表示方法。
【請求項１３】
請求項１２に記載の立体映像表示方法において、前記左目用の視聴位置確認情報は、左を連想させる情報であり、前記右目用の視聴位置確認情報は、右を連想させる情報であることを特徴とする立体映像表示方法。
【請求項１４】
請求項１２に記載の立体映像表示方法において、前記左目用の視聴位置確認情報は、前記表示面の左半面内の所定位置に配置された色表であり、前記右目用の視聴位置確認情報は、前記表示面の右半面内の所定位置に配置された色表であることを特徴とする立体映像表示方法。
【請求項１５】
左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置を用いた立体映像表示方法において、映像を視聴する際に、前記表示面の任意の領域に、前記表示面に対して奥行き方向前側あるいは奥側に位置して見えるように少なくとも１つの視聴位置確認情報を表示し、前記映像の観察者は該表示された視聴位置確認情報により適正な視聴位置を決定できるようにしたことを特徴とする立体映像表示方法。
【請求項１６】
請求項１５に記載の立体映像表示方法において、映像を視聴する際に、前記視聴位置確認情報を表示すると共に、該視聴位置確認情報の前記表示面に対する奥行き方向の位置を連想させる奥行き位置情報を表示し、前記映像の観察者は前記表示されている視聴位置確認情報の前記表示面に対する奥行き位置と、該視聴位置確認情報の奥行き位置情報から連想される奥行き位置とが合致しているかどうか比較できるようにしたことを特徴とする立体映像表示方法。
【発明の詳細な説明】
【技術分野】
【０００１】
本発明は、立体映像表示装置及び方法、より詳細には、視差バリア（パララックスバリア）方式を用いた立体映像表示装置及び該装置を用いた立体映像表示方法に関する。
【背景技術】
【０００２】
従来、様々な立体映像表示装置が考案されており、例えば、特許文献１では、３次元映像表示のみならず、２次元映像表示もできるようにした立体画像表示装置が開示されている。この装置は視差バリア（パララックスバリア）を用いた立体映像表示装置の一つである。
【特許文献１】特開平１０―２６８２３０号公報
【発明の開示】
【発明が解決しようとする課題】
【０００３】
しかしながら、パララックスバリアを用いた立体映像表示装置は、視聴範囲が限定され、特定の位置でないと正常な立体視ができないということがある。従って、観察者は、立体映像を視聴しようとするとき、まず立体に見える位置を探す必要があり、このことに不慣れな観察者は立体視を簡単に行うことができないという問題がある。
【０００４】
また、立体画像表示装置の別の例として専用のめがねを用いた方法も提案されている。この方法によれば視聴位置が限定されない表示装置を実現可能であるが、専用のめがねを用いるという点で容易に使えるというようなものではなく、一般に普及しにくい。また、パララックスバリア等を用いた立体映像表示装置は、裸眼で視聴可能であるため、その容易さの点でめがねを用いた方式より優れている。
【０００５】
本発明は、上述のごとき実情に鑑みてなされたものであり、視差バリア（パララックスバリア）を用いた立体映像表示装置において、立体視を行う際に、視聴位置を確認するための情報を表示することにより、立体視に不慣れな観察者であっても簡単に視聴位置を決定できるようにすること、を目的としてなされたものである。
【課題を解決するための手段】
【０００６】
上記課題を解決するために、第１の技術手段は、左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置において、前記表示面の左半面内に左目用の視聴位置確認情報を表示し、前記表示面の右半面内に右目用の視聴位置確認情報を表示する視聴位置確認情報表示手段を備えていることを特徴としたものである。
【０００７】
第２の技術手段は、第１の技術手段において、前記左目用の視聴位置確認情報は、左を連想させる情報であり、前記右目用の視聴位置確認情報は、右を連想させる情報であることを特徴としたものである。
【０００８】
第３の技術手段は、第１の技術手段において、前記左目用の視聴位置確認情報は、前記表示面の左半面内の所定位置に配置された色表であり、前記右目用の視聴位置確認情報は、前記表示面の右半面内の所定位置に配置された色表であることを特徴としたものである。
【０００９】
第４の技術手段は、第３の技術手段において、前記左目用の色表と、前記右目用の色表とは異なった色であることを特徴としたものである。
【００１０】
第５の技術手段は、左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置において、前記表示面の任意の領域に、前記表示面に対して奥行き方向前側あるいは奥側に位置して見えるように少なくとも１つの視聴位置確認情報を表示する視聴位置確認情報表示手段を備えていることを特徴としたものである。
【００１１】
第６の技術手段は、第５の技術手段において、前記視聴位置確認情報表示手段は、映像を視聴する際に、前記視聴位置確認情報を表示すると共に、該視聴位置確認情報の前記表示面に対する奥行き方向の位置を連想させる奥行き位置情報を表示可能としたことを特徴としたものである。
【００１２】
第７の技術手段は、第５の技術手段において、前記視聴位置確認情報表示手段は、映像を視聴する際に、前記表示面の周辺部近傍の領域に、前記視聴位置確認情報を表示することを特徴としたものである。
【００１３】
第８の技術手段は、第１乃至第７のいずれか１の技術手段において、前記視聴位置確認情報表示手段は、前記視聴位置確認情報を前記表示面に表示される映像に重ね合わせて表示することを特徴としたものである。
【００１４】
第９の技術手段は、第１乃至第８のいずれか１の技術手段において、入力映像の種別に応じて３次元表示モードあるいは２次元表示モードに切り替える表示モード切替手段を備え、前記視聴位置確認情報表示手段は、前記表示モード切替手段により３次元表示モードが設定されたときに、前記視聴位置確認情報を前記表示面に表示することを特徴としたものである。
【００１５】
第１０の技術手段は、第１乃至第９のいずれか１の技術手段において、前記視聴位置確認情報の前記表示面への表示／非表示を切り替える表示切替手段を備えていることを特徴としたものである。
【００１６】
第１１の技術手段は、第１０の技術手段において、前記表示切替手段は、前記視聴位置確認情報を前記表示面に表示させ、所定期間経過した後に、非表示に切り替えることを特徴としたものである。
【００１７】
第１２の技術手段は、左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置を用いた立体映像表示方法において、映像を視聴する際に、前記表示面の左半面内に左目用の視聴位置確認情報を表示し、前記表示面の右半面内に右目用の視聴位置確認情報を表示し、前記映像の観察者は該表示された視聴位置確認情報により適正な視聴位置を決定できるようにしたことを特徴としたものである。
【００１８】
第１３の技術手段は、第１２の技術手段において、前記左目用の視聴位置確認情報は、左を連想させる情報であり、前記右目用の視聴位置確認情報は、右を連想させる情報であることを特徴としたものである。
【００１９】
第１４の技術手段は、第１２の技術手段において、前記左目用の視聴位置確認情報は、前記表示面の左半面内の所定位置に配置された色表であり、前記右目用の視聴位置確認情報は、前記表示面の右半面内の所定位置に配置された色表であることを特徴としたものである。
【００２０】
第１５の技術手段は、左目から見た映像を表示する左目用画素と右目から見た映像を表示する右目用画素とを交互に配列してなる表示面と、前記左目用画素及び右目用画素の配列に応じて光透過領域と遮光領域とを交互に配列して視差を発生させる視差発生手段とを備えた立体映像表示装置を用いた立体映像表示方法において、映像を視聴する際に、前記表示面の任意の領域に、前記表示面に対して奥行き方向前側あるいは奥側に位置して見えるように少なくとも１つの視聴位置確認情報を表示し、前記映像の観察者は該表示された視聴位置確認情報により適正な視聴位置を決定できるようにしたことを特徴としたものである。
【００２１】
第１６の技術手段は、第１５の技術手段において、映像を視聴する際に、前記視聴位置確認情報を表示すると共に、該視聴位置確認情報の前記表示面に対する奥行き方向の位置を連想させる奥行き位置情報を表示し、前記映像の観察者は前記表示されている視聴位置確認情報の前記表示面に対する奥行き位置と、該視聴位置確認情報の奥行き位置情報から連想される奥行き位置とが合致しているかどうか比較できるようにしたことを特徴としたものである。
【発明の効果】
【００２２】
視差バリア（パララックスバリア）方式を用いた立体映像表示装置において、立体視を行う際に、左目用と右目用それぞれに応じた３Ｄ確認映像（視聴位置確認情報）を表示することができるため、立体視に不慣れな観察者であっても簡単に視聴位置を決定することができる。
また、表示面に対して奥行き位置が異なって見えるように３Ｄ確認映像（視聴位置確認情報）を表示することができるため、立体視に不慣れな観察者であっても両目で簡単に視聴位置を決定することができる。
【発明を実施するための最良の形態】
【００２３】
図１は、本発明の一実施形態に係る立体映像表示装置の構成例を示すブロック図で、図中、１０は立体映像表示装置で、該立体映像表示装置１０は、放送受信部１，映像記録再生部２，外部映像入力部３，セレクタ４，映像切り替え手段５，映像変換ブロック６，セレクタ制御ブロック７，視聴位置確認情報表示手段８，立体映像表示手段９を備えている。外部映像入力部３は、２次元（しばしば２Ｄという）映像あるいは３次元（しばしば３Ｄという）映像の映像源である。放送受信部１は、アンテナ１１，チューナ１２からなり、その出力は放送された映像信号である。３Ｄ映像が放送された場合、３Ｄの映像が出力される。尚、以下に説明する各実施形態における視聴とは、映像を見たり、その映像に付随した音声を聞く視聴行為以外に、単に映像を見るだけの観察行為も含むものとする。
【００２４】
映像記録再生部２は、映像記録再生回路２１，記録媒体２２からなり、放送受信部１の出力を記録し、または記録媒体２２に記録した映像を再生することができる。また、他の機器で記録した記録媒体を再生することも可能である。記録媒体２２に記録する映像は２Ｄ映像または３Ｄ映像のいずれであってもよい。また、他の機器からの映像信号を外部映像入力部３から入力することが可能である。この外部映像信号は２Ｄ映像または３Ｄ映像である。
【００２５】
セレクタ４は、放送受信部１，映像記録再生部２，外部映像入力部３のいずれかの映像信号を選択して後段の映像変換ブロック６に供給する。映像切り替え手段５は、セレクタ４をコントロールするブロックで、切り替えスイッチや、メニュー画面等により構成されている。
【００２６】
映像変換ブロック６は、２Ｄ映像を３Ｄ映像に変換する２Ｄ／３Ｄ変換手段６１、３Ｄ映像を２Ｄ映像に変換する３Ｄ／２Ｄ変換手段６２，セレクタ６３からなる。この映像変換ブロック６に含まれる各手段については公知技術により実現でき、ここでの詳細説明は省略する。
【００２７】
セレクタ６３は、入力信号Ｔ１，２Ｄ→３Ｄ変換信号Ｔ２，３Ｄ→２Ｄ変換信号Ｔ３のいずれかを選択する。このセレクタ６３は、セレクタ制御ブロック７の２Ｄ／３Ｄ切り替え制御手段７４で制御され、ユーザの好みによって、２次元映像か３次元映像のいずれかが選択される。
【００２８】
セレクタ制御ブロック７は、入力信号が２次元映像か３次元映像かを判別する３Ｄ検出手段７１，２Ｄ／３Ｄ手動／自動切り替えスイッチ７２，２Ｄ／３Ｄ手動切り替えスイッチ７３，２Ｄ／３Ｄ切り替え制御手段７４，確認映像表示スイッチ７５からなる。３Ｄ検出手段７１は、例えば、映像信号に含まれる２Ｄ／３Ｄ判別信号を検出するか、または、映像信号の特徴を検出する等により判別を行う。２Ｄ／３Ｄ手動／自動切り替えスイッチ７２は、２Ｄと３Ｄの表示切り替えを自動で行うか、手動で行うかの切り替えスイッチである。
【００２９】
２Ｄ／３Ｄ手動切り替えスイッチ７３は、２Ｄ／３Ｄ手動／自動切り替えスイッチ７２が手動に設定された場合に、２Ｄ表示と３Ｄ表示を手動で切り替えるスイッチである。２Ｄ／３Ｄ切り替え制御手段７４は、３Ｄ検出手段７１，２Ｄ／３Ｄ手動／自動切り替えスイッチ７２，２Ｄ／３Ｄ手動切り替えスイッチ７３の状態を受けて、ユーザの好みによって２Ｄ表示と３Ｄ表示の選択を制御する。２Ｄ／３Ｄ切り替え制御手段７４は、３Ｄ確認映像表示手段８１、立体映像表示手段９を３Ｄ表示に連動して制御する。
【００３０】
セレクタ６３の出力は、視聴位置確認情報表示手段８を介して、立体映像表示手段９に供給される。この視聴位置確認情報表示手段８については後で説明する。
また、立体映像表示手段９としては、例えば、前述の特開平１０−２６８２３０号公報に記載された技術を適用することができる。これは、２次元映像表示と３次元映像表示が切り替え表示可能なように構成されたもので、本実施形態における２次元と３次元の切り替え処理は、２Ｄ／３Ｄ切り替え制御手段７４により実行され、セレクタ６３の制御に同期して、２次元映像の場合は２Ｄ表示モードで表示し、３次元映像の場合は３Ｄ表示モードで表示を行う。尚、立体映像表示手段９は、３次元映像のみを表示する構成としてもよく、この場合、２Ｄ／３Ｄ切り替え制御手段７４が不要となる。
【００３１】
図２は、図１に示した立体映像表示手段９の３次元映像表示方式の一例を説明するための図である。ここでは３次元映像表示方式の１つであるパララックスバリア方式の原理について説明する。
図１に示した立体映像表示手段９は、映像表示面９１，パララックスバリア９２からなる。このパララックスバリア方式では左目用映像ＬＬと右目用映像ＲＲが水平方向に１画素おきに交互に表示される。映像表示面９１の前にパララックスバリア９２が配置され、適正な視聴位置１０１において、パララックスバリア９２の寸法を最適に選ぶことにより、左目用の映像ＬＬを左目に、右目用の映像ＲＲを右目に結像させることができる。図２に示すように、左目、右目にそれぞれ別の映像を入力できることになり、これを利用して立体映像を表示することができる。
【００３２】
ここでもし視聴位置がずれて、不適正な視聴位置１０２のようになったとする。これは上記の適正な視聴位置１０１の左目の位置に右目がきた状態である。この場合、当然ながら右目には左目用映像ＬＬが結像する。そして、左目には右目用映像ＲＲが結像する。この状態では正常な立体映像を視聴することができない。すなわち、正常な立体映像は、適正な視聴位置１０１で見てはじめて正常に視聴することができる。立体映像表示手段９（映像表示面９１）に対して、観察者は視聴位置の調節を自分で行わなければならない。ところが、パララックスバリア方式の立体映像に不慣れな観察者にとってはどこが適正な視聴位置であるか容易には判断できない。
【００３３】
本発明の立体映像表示装置１０では、図１に示した視聴位置確認情報表示手段８を設けることにより、視聴位置の調節を容易に行えるようにしている。視聴位置確認情報表示手段８は、３Ｄ確認映像表示手段８１，３Ｄ確認映像記憶手段８２からなる。視聴位置を確認するための情報である３Ｄ確認映像は、３Ｄ確認映像記憶手段８２に記憶されており、３Ｄ確認映像表示手段８１に供給される。３Ｄ確認映像表示手段８１は、２Ｄ／３Ｄ切り替え制御手段７４により制御され、３Ｄ確認映像の表示を行う。この３Ｄ確認映像の表示／非表示は、確認映像表示スイッチ７５により制御される。
【００３４】
図３は、３Ｄ確認映像及びその表示方法の一例について説明するための図である。本実施形態の３Ｄ確認映像は、左部分に“左”の文字が映像として配置された左目用映像１１１、右部分に“右”の文字が映像として配置された右目用映像１１２からなる。ここで、左目用映像１１１は左目用であることが容易に判別できるものにしておく。例えば、左，左目，レフト，レフトアイ，ＬＥＦＴ，ＬＥＦＴ  ＥＹＥ，ＬＥＦＴ  ＩＭＡＧＥ等の文字情報や、矢印等の方向を表す図形情報など、左を連想させる情報であればどのようなものでもよい。また、右目用映像１１２は右目用であることが容易に判別できるものにしておく。例えば、右，右目，ライト，ライトアイ，ＲＩＧＨＴ，ＲＩＧＨＴ  ＥＹＥ，ＬＩＧＨＴ  ＩＭＡＧＥ等の文字情報や、矢印等の方向を表す図形情報など、右を連想させる情報であればどのようなものでもよい。
【００３５】
３Ｄ表示用映像１１３は、左目用映像１１１，右目用映像１１２を用いて３Ｄ表示用映像として作成したものである。左側には左目用映像（“左”の文字）が、右側には右目用映像（“右”の文字）が配置されている。尚、３Ｄ表示用映像１１３の作成方法はこれだけではなく、種々提案されているのでそれらを用いてもよい。
【００３６】
３Ｄ表示映像１１４は、３Ｄ表示用映像１１３を立体映像表示手段９に表示させ、適正な視聴位置で視聴した場合の映像である。この場合、画面左側に“左”の文字が、画面右側に“右”の文字を視聴することができる。
次に、上記の３Ｄ表示映像１１４を、片目を閉じて視聴してみる。そうすると、前述の図２において説明したパララックスバリア方式の原理から、右目を閉じて左目だけで視聴すると、左目用映像である“左”の文字だけが視聴でき（映像１１５）、また、左目を閉じて右目だけで視聴すると、右目用映像である“右”の文字だけが視聴できる（映像１１６）。
【００３７】
次に、観察者の視聴位置を図２に示した矢印の方向にずらして、適正な視聴位置の右目の位置に左目がくるようにし、上記同様に片目ずつ視聴すると、今度は左目で“右”の文字が視聴され（映像１１７）、右目では“左”の文字が視聴される（映像１１８）。この状態では正常な立体映像を視聴することができない。
【００３８】
以上からわかるように、図３に示す映像を表示することで、右目で“右”の文字が、左目で“左”の文字がそれぞれ視聴できたときは、観察者は適正な位置で視聴しており、そうでなければ誤った位置で視聴していることを意味する。従って、上記方法により適正な視聴位置を容易に判別することができる。
【００３９】
図４は、３Ｄ確認映像及びその表示方法の他の例について説明するための図である。本実施形態の３Ｄ確認映像は、左側下部に青い色表１２１ａが配置された左目用映像１２１、右側下部に赤い色表１２２ａが配置された右目用映像１２２からなる。尚、表示可能な色表は、色の違いだけでなく、同じ色の濃淡、グレースケール等の階調など、左右の違いがわかる情報であればどのようなものでもよい。
【００４０】
３Ｄ表示用映像１２３は、左目用映像１２１，右目用映像１２２を用いて３Ｄ表示用映像として作成したものである。この３Ｄ表示用映像１２３を立体映像表示手段９に表示させ、適正な視聴位置で視聴すると３Ｄ表示映像１２４のように視聴することができる。すなわち、画面左側下部に青い色表１２１ａを、画面右側下部に赤い色表１２２ａを視聴することができる。また、適正な視聴位置で片目ずつ視聴したとき、左目では画面左側下部に青い色表１２１ａを視聴でき（映像１２５）、右目では画面右側下部に赤い色表１２２ａを視聴できる（映像１２６）。
【００４１】
そして、誤った視聴位置では、左右が逆転し、左目では画面右側下部に赤い色表１２２ａが視聴され（映像１２７）、右目では画面左側下部に青い色表１２１ａが視聴される（映像１２８）。すなわち、左目で左側に青い色表１２１ａを視聴し、右目で右側に赤い色表１２２ａを視聴できれば、観察者は適正な位置で視聴しており、そうでなければ誤った視聴位置で見ていることになる。このように、適正な視聴位置が容易にわかる。
【００４２】
この表示方法は色表を小さくすることで比較的目立たない状態で確認が可能であり、本実施形態は３Ｄ映像と重ねて表示しても目立たなくすることができる。なお左右の色表に異なる色をつけなくても判別は可能であるが、よりわかりやすくするためには異なる色を選択するほうがよい。
【００４３】
図５は、３Ｄ確認映像及びその表示方法の他の例について説明するための図である。本実施形態は、画面の一部に明確な立体映像を表示する例である。明確に立体とわかっている映像であれば、その映像が正しく立体に見える位置がすなわち適正な視聴位置である。このため、表示する映像は、映像表示面より手前にあるか、それとも奥にあるかが明確にわかる映像にしておく。左目用映像１３１はアイコン１３１ａ及び１３１ｂを含み、アイコン１３１ａは画面より飛び出して見えるように作成され、前側を連想させる“Ｆ”の文字が記載されている。また、アイコン１３１ｂは画面より奥に見えるように作成され、後ろを連想させる“Ｂ”の文字が記載されている。また、右目用映像１３２はこれに対応した右目用映像である。
【００４４】
次に、上記左目用映像１３１及び右目用映像１３２に基づいて、３Ｄ表示用映像１３３を作成し、これを立体映像表示手段９に表示させ、適正な位置で視聴すると３Ｄ表示映像１３４のように視聴することができる。適正な視聴位置で視聴した場合、映像１３５に示すように、アイコン１３１ａは画面より前に飛び出して見える状態で視聴でき、アイコン１３１ｂは画面より奥に引き込んで見える状態で視聴できる。これはアイコン１３１ａ及び１３１ｂに記載された文字（“Ｆ”及び“Ｂ”）と合った状態で視聴できていることがわかる。
【００４５】
ところが、視聴位置がずれて、左右の目に入る映像が逆転すると、映像１３６に示すように、アイコン１３１ａが画面より奥に引き込んで見える状態で視聴され、アイコン１３１ｂは画面より飛び出して見える状態で視聴され、各アイコンに記載してある文字から連想される状態と逆の状態になってしまう。従って、アイコンが正しい位置関係（すなわち、文字“Ｆ”及び“Ｂ”から連想される位置）で見える位置が適正な視聴位置であることがわかる。前述の図３及び図４に示した例では視聴位置を決定するときに片目ずつ視聴する必要があったが、本実施形態の方法では両目で視聴することで位置決めすることができる。
【００４６】
図５に示す例では飛び出して見えるアイコン１３１ａと、奥に引き込んで見えるアイコン１３１ｂを両方表示しているがいずれか一方でもかまわない。その場合の視聴位置確認映像（本例ではアイコン）の画面内における配置は、画面の周囲に近い位置に配置することが望ましい。これは、表示された３Ｄ確認映像（本例ではアイコン）が、画面周囲の画枠との相対的な奥行き差によって飛び出て見えるか、引き込んで見えるのかわかるので、比較しやすい。
【００４７】
以上に説明した視聴位置を確認するための３Ｄ確認映像は、３Ｄ確認映像記憶手段８２に記憶されており、３Ｄ確認映像表示手段８１を通じて立体映像表示手段９に表示される。このときの表示方法としては、３Ｄ確認映像を単独で表示してもよい。また、セレクタ６３で選択された通常映像と重ね合わせて表示してもよい。この重ね合わせ表示する方法では、通常映像も見ながら視聴位置の確認ができるのでより便利である。
図６は、３Ｄ確認映像を通常映像に重ね合わせて表示した画面例を示す図で、図中、１４１は通常映像で、１４２は３Ｄ確認映像（本例ではアイコン）である。通常映像１４１を見ながら正しい奥行き位置で３Ｄ確認映像１４２（アイコン）が見えれば、通常映像１４１も立体に見えるようになる。
上記に説明したような３Ｄ確認映像を表示することで適正な視聴位置を容易に決めることができる。
【００４８】
次に、この３Ｄ確認映像の表示タイミングについて以下に説明する。以下の各実施形態は、図１に示した立体映像表示装置１０に基づいて説明するものとする。立体映像表示装置１０には、３Ｄ確認映像の表示／非表示の制御のため、確認映像表示スイッチ７５が設けられている。
【００４９】
（第１の３Ｄ確認映像表示方法）
図７は、本発明が適用される３Ｄ確認映像表示方法の一例を説明するためのフロー図である。通常の映像表示では、確認映像表示スイッチ７５はＯＦＦされており、セレクタ６３で選択された映像がそのまま立体映像表示手段９に供給されている。ここでは３Ｄ映像が供給、表示されており（ステップＳ１）、立体映像表示装置１０は、確認映像表示スイッチ７５がＯＮされたかどうか判断し（ステップＳ２）、確認映像表示スイッチ７５がＯＮされた場合（ＹＥＳの場合）、３Ｄ確認映像に切り替え表示する（ステップＳ３）。
【００５０】
上記ステップＳ３において、図３乃至図５において説明した３Ｄ確認映像を表示し、この３Ｄ確認映像に基づいて観察者が適正な視聴位置を決定する。また、上記ステップＳ２において、確認映像表示スイッチ７５がＯＦＦのままの場合（ＮＯの場合）、上記ステップＳ１に戻り３Ｄ映像の表示状態を維持する。次に、確認映像表示スイッチ７５がＯＦＦされたかどうか判断し（ステップＳ４）、確認映像表示スイッチ７５がＯＦＦされた場合（ＹＥＳの場合）、上記ステップＳ１に戻り、通常の３Ｄ映像に切り替え表示し、観察者は適正な３Ｄ映像を視聴することができる。また、上記ステップＳ４において、確認映像表示スイッチ７５がＯＮのままの場合（ＮＯの場合）、上記ステップＳ３に戻り３Ｄ確認映像の表示状態を維持する。
【００５１】
（第２の３Ｄ確認映像表示方法）
図８は、本発明が適用される３Ｄ確認映像表示方法の他の例を説明するためのフロー図である。本実施形態でも３Ｄ映像が供給、表示されており（ステップＳ１１）、立体映像表示装置１０は、確認映像表示スイッチ７５がＯＮされたかどうか判断し（ステップＳ１２）、確認映像表示スイッチ７５がＯＮされた場合（ＹＥＳの場合）、３Ｄ確認映像に切り替え表示する（ステップＳ１３）。
【００５２】
上記ステップＳ１３において、図３乃至図５において説明した３Ｄ確認映像を表示し、この３Ｄ確認映像に基づいて観察者が適正な視聴位置を決定する。また、上記ステップＳ１２において、確認映像表示スイッチ７５がＯＦＦのままの場合（ＮＯの場合）、上記ステップＳ１１に戻り３Ｄ映像の表示状態を維持する。次に、確認映像表示スイッチ７５がＯＮされてから所定時間経過したかどうか判断し（ステップＳ１４）、所定時間経過した場合（ＹＥＳの場合）、上記ステップＳ１１に戻り、通常の３Ｄ映像に切り替え表示し、観察者は適正な３Ｄ映像を視聴することができる。また、上記ステップＳ１４において、所定時間経過していない場合（ＮＯの場合）、上記ステップＳ１３に戻り３Ｄ確認映像の表示状態を維持する。
この第２の３Ｄ確認映像表示方法では、確認映像表示スイッチ７５がＯＮされると、一定期間３Ｄ確認映像が表示された後、確認映像表示スイッチ７５が自動的にＯＦＦになる。これにより、手動で確認映像表示スイッチ７５をＯＦＦする必要がなくなり、より利便性が向上する。
【００５３】
（第３の３Ｄ確認映像表示方法）
図９は、本発明が適用される３Ｄ確認映像表示方法の他の例を説明するためのフロー図である。３Ｄ確認映像は３Ｄ映像を見るときのみ必要であり、２Ｄ映像を見るときは必要ない。従って、本実施形態では２Ｄ／３Ｄ手動／自動切り替えスイッチ７２により自動的に、あるいは２Ｄ／３Ｄ手動切り替えスイッチ７３を操作して３Ｄ表示モードになったときに、３Ｄ確認映像を表示するように設定されているため、確認映像表示スイッチ７５の操作が不要となる。
図９において、まず、立体映像表示装置１０は、表示させる映像が２Ｄ映像なのか３Ｄ映像なのかを判断し（ステップＳ２１）、表示させる映像が３Ｄ映像の場合（図中、３Ｄの場合）、３Ｄ確認映像を表示する（ステップＳ２２）。
【００５４】
上記ステップＳ２２において、図３乃至図５において説明した３Ｄ確認映像を表示し、この３Ｄ確認映像に基づいて観察者が適正な視聴位置を決定する。また、上記ステップＳ２１において、表示させる映像が２Ｄ映像の場合（図中、２Ｄの場合）、２Ｄ映像を表示する（ステップＳ２５）。次に、確認映像表示スイッチ７５がＯＦＦされたかどうか判断し（ステップＳ２３）、確認映像表示スイッチ７５がＯＦＦされた場合（ＹＥＳの場合）、３Ｄ映像に切り替え表示し（ステップＳ２４）、観察者は適正な３Ｄ映像を視聴することができる。また、上記ステップＳ２３において、確認映像表示スイッチ７５がＯＮのままの場合（ＮＯの場合）、上記ステップＳ２２に戻り３Ｄ確認映像の表示状態を維持する。
【００５５】
（第４の３Ｄ確認映像表示方法）
図１０は、本発明が適用される３Ｄ確認映像表示方法の他の例を説明するためのフロー図である。本実施形態でも２Ｄ／３Ｄ手動／自動切り替えスイッチ７２により自動的に、あるいは２Ｄ／３Ｄ手動切り替えスイッチ７３を操作して３Ｄ表示モードになったときに、３Ｄ確認映像を表示するように設定されている。
図１０において、まず、立体映像表示装置１０は、表示させる映像が２Ｄ映像なのか３Ｄ映像なのかを判断し（ステップＳ３１）、表示させる映像が３Ｄ映像の場合（図中、３Ｄの場合）、３Ｄ確認映像を表示する（ステップＳ３２）。
【００５６】
上記ステップＳ３２において、図３乃至図５において説明した３Ｄ確認映像を表示し、この３Ｄ確認映像に基づいて観察者が適正な視聴位置を決定する。また、上記ステップＳ３１において、表示させる映像が２Ｄ映像の場合（図中、２Ｄの場合）、２Ｄ映像を表示する（ステップＳ３６）。次に、３Ｄ確認映像を表示してから（すなわち、確認映像表示スイッチ７５がＯＮされてから）所定時間経過したかどうか判断し（ステップＳ３３）、所定時間経過した場合（ＹＥＳの場合）、３Ｄ映像に切り替え表示し（ステップＳ３４）、観察者は適正な３Ｄ映像を視聴することができる。また、上記ステップＳ３３において、所定時間経過していない場合（ＮＯの場合）、上記ステップＳ３２に戻り３Ｄ確認映像の表示状態を維持する。
【００５７】
また、上記ステップＳ３２において、３Ｄ確認映像に基づいて観察者が適正な視聴位置を決定することができなかった場合には、確認映像表示スイッチ７５によって３Ｄ確認映像を再表示させることができる。この場合、立体映像表示装置１０は、確認映像表示スイッチ７５がＯＮされたかどうか判断し（ステップＳ３５）、確認映像表示スイッチ７５がＯＮされた場合（ＹＥＳの場合）、上記ステップＳ３２に戻り、３Ｄ確認映像を再表示する。また、上記ステップＳ３５において、確認映像表示スイッチ７５がＯＦＦのままの場合（ＮＯの場合）、上記ステップＳ３４に戻り３Ｄ映像の表示状態を維持する。
【００５８】
第４の３Ｄ確認映像表示方法では、前述した第３の３Ｄ確認映像表示方法において、３Ｄ表示モードになったときに３Ｄ確認映像が表示され、一定期間表示された後、３Ｄ確認映像をＯＦＦにして通常の３Ｄ映像のみを表示する。これにより、通常の３Ｄ映像の視聴時に３Ｄ確認映像が妨げになることがない。
【図面の簡単な説明】
【００５９】
【図１】本発明の一実施形態に係る立体映像表示装置の構成例を示すブロック図である。
【図２】図１に示した立体映像表示手段の３次元映像表示方式の一例を説明するための図である。
【図３】３Ｄ確認映像及びその表示方法の一例について説明するための図である。
【図４】３Ｄ確認映像及びその表示方法の他の例について説明するための図である。
【図５】３Ｄ確認映像及びその表示方法の他の例について説明するための図である。
【図６】３Ｄ確認映像を通常映像に重ね合わせて表示した画面例を示す図である。
【図７】本発明が適用される３Ｄ確認映像表示方法の一例を説明するためのフロー図である。
【図８】本発明が適用される３Ｄ確認映像表示方法の他の例を説明するためのフロー図である。
【図９】本発明が適用される３Ｄ確認映像表示方法の他の例を説明するためのフロー図である。
【図１０】本発明が適用される３Ｄ確認映像表示方法の他の例を説明するためのフロー図である。
【符号の説明】
【００６０】
１…放送受信部、２…映像記録再生部、３…外部映像入力部、４，６３…セレクタ、５…映像切り替え手段、６…映像変換ブロック、７…セレクタ制御ブロック、８…視聴位置確認情報表示手段、９…立体映像表示手段、１０…立体映像表示装置、１１…アンテナ、１２…チューナ、２１…映像記録再生回路、２２…記録媒体、６１…２Ｄ／３Ｄ変換手段、６２…３Ｄ／２Ｄ変換手段、７１…３Ｄ検出手段、７２…２Ｄ／３Ｄ手動／自動切り替えスイッチ、７３…２Ｄ／３Ｄ手動切り替えスイッチ、７４…２Ｄ／３Ｄ切り替え制御手段、７５…確認映像表示スイッチ、８１…３Ｄ確認映像表示手段、８２…３Ｄ確認映像記憶手段、９１…映像表示面、９２…パララックスバリア、１０１…適正な視聴位置、１０２…不適正な視聴位置、１１１，１２１，１３１…左目用映像、１１２，１２２，１３２…右目用映像、１１３，１２３，１３３…３Ｄ表示用映像、１１４，１２４，１３４…３Ｄ表示映像、１１５，１１６，１１７，１１８,１２５，１２６，１２７，１２８，１３５，１３６…映像、１２１ａ…青い色表、１２２ａ…赤い色表、１３１ａ，１３１ｂ…アイコン、１４１…通常映像、１４２…３Ｄ確認映像（アイコン）。
【図１】
2005223495.tif 000003
【図２】
2005223495.tif 000004
【図３】
2005223495.tif 000005
【図４】
2005223495.tif 000006
【図５】
2005223495.tif 000007
【図６】
2005223495.tif 000008
【図７】
2005223495.tif 000009
【図８】
2005223495.tif 000010
【図９】
2005223495.tif 000011
【図１０】
2005223495.tif 000012